(57)【要約】【課題】  落下衝撃等に対する耐久性が高められ、テープローディング用の空間部の開閉機構をより簡素化でき、防塵性にも優れたテープカセットを提供する。【解決手段】  カセットシェル２の内部に回動自在に配置され、当該回動動作によって、テープローディング用の空間部１１と、リール駆動軸挿通用の開口部９ａ，９ａとを同時に開閉するシャッタ１５を設ける。シャッタ１５は、その閉止部２４で空間部１１を閉塞するとともに板状部材２３で開口部９ａ，９ａを閉塞する第１の位置と、空間部１１を開放するとともにガイド孔２５，２５を開口部９ａ，９ａに整列させて開口部９ａ，９ａを開放する第２の位置との間を回動する。この構成により、カセット非使用時における防塵性が高められる。また、空間部１１の開閉機構がカセットシェル２の内部に配置されているので、落下衝撃等に対する耐久性が向上する。【選択図】        図１
2006024331.tif 000002
【特許請求の範囲】
【請求項１】
カセットシェルと、このカセットシェルの内部に回転可能に収納された一対のテープリールと、これらテープリールに巻装されたテープ状記録媒体と、前記カセットシェルの前部に形成されたテープローディング用の空間部と、前記カセットシェルの底面に形成され記録再生装置のリール駆動軸を前記テープリールに係合させる開口部とを備えたテープカセットにおいて、
前記カセットシェルの内部に回動自在に配置され、当該回動動作によって前記空間部と前記開口部とを同時に開閉するシャッタを備えた
ことを特徴とするテープカセット。
【請求項２】
前記シャッタは、前記テープリールと前記カセットシェルの底面との間に配置された板状部材で形成されており、
この板状部材には、前記シャッタが前記空間部を閉塞する第１の回動位置で、この空間部を閉塞できる大きさの閉止部が立設されているとともに、
前記シャッタが前記空間部を開放する第２の回動位置で、前記開口部と整列するガイド孔が穿設されている
ことを特徴とする請求項１に記載のテープカセット。
【請求項３】
前記板状部材には、前記第２の回動位置において、前記空間部に対応する部位に切欠きが形成されている
ことを特徴とする請求項２に記載のテープカセット。
【請求項４】
前記板状部材には、前記ガイド孔の周縁上面部位に、前記テープリールとの干渉を防止するためのテーパー部が形成されている
ことを特徴とする請求項２に記載のテープカセット。
【請求項５】
前記カセットシェルの内部には、前記シャッタを前記第１の位置に向けて付勢する付勢部材が設けられている
ことを特徴とする請求項２に記載のテープカセット。
【請求項６】
前記空間部は、前記カセットシェルの一隅部に形成されている
ことを特徴とする請求項１に記載のテープカセット。
【請求項７】
前記一対のテープリールは、前記カセットシェルの対角線上に配置されている
ことを特徴とする請求項１に記載のテープカセット。
【請求項８】
前記カセットシェルの外面部には、前記シャッタを回動操作するための操作部が設けられている
ことを特徴とする請求項１に記載のテープカセット。
【発明の詳細な説明】
【技術分野】
【０００１】
本発明は、テープ状記録媒体を巻装した一対のテープリールを回転可能に収納したカセットシェルの前部にテープローディング用の空間部が形成されたテープカセットに関し、更に詳しくは、上記空間部に架け渡されているテープ状記録媒体を落下衝撃等から保護することができるテープカセットに関する。
【背景技術】
【０００２】
テープカセットは、通常、上シェルと下シェルとを互いに結合してなるカセットシェルの内部に、テープ状記録媒体としての磁気テープを巻装した一対のテープリールを回転可能に収納して構成されている。そして、この種のテープカセットにおいては、非使用時、カセットシェルの前部に形成された空間部に位置する磁気テープをリッドと称される部材によって覆い、当該磁気テープに塵埃が付着したり、人の手指が触れて油脂等が付着するのを防止するものがある。
【０００３】
図９〜図１７は従来のリッド付きのテープカセット１０１の構成の一例を示している。ここで、図９は従来のテープカセット１０１の分解斜視図、図１０はテープカセット１０１のリッド開放状態を示す斜視図、図１１はテープカセット１０１を下面側から見たときの斜視図、図１２は上シェル１０２の斜視図、図１３は下シェル１０３の斜視図、図１４はトップリッド１０９の上面側斜視図、図１５はトップリッド１０９の裏面側斜視図、図１６はフロントリッド１０８の斜視図、図１７はバックリッド１１０の斜視図である。
【０００４】
この従来のテープカセット１０１は、上シェル１０２と下シェル１０３とを互いに結合して形成されるカセットシェル１０４の内部に、磁気テープ１０５を巻装した一対のテープリール１０６，１０６を左右に離間して各々回転可能に収納した構成とされている。カセットシェル１０４の前部には、前方および上下に開放された空間部１０７が設けられ、テープカセットの非使用時には、空間部１０７の前部を横切るように架け渡された磁気テープ１０５をリッド構体１１１で覆い、磁気テープに塵埃が付着したり、人の手指が触れて油脂等が付着するのを防止する。
【０００５】
以下、リッド構体１１１の構成および組付方法について説明する。
【０００６】
リッド構体１１１は、磁気テープ１０５の前面側を覆うフロントリッド１０８と、空間部１０７の上方部を覆うトップリッド１０９と、磁気テープ１０５の背面側を覆うバックリッド１１０との結合体で構成されている。フロントリッド１０８およびバックリッド１１０は、後述するように、それぞれトップリッド１０９に対して回動自在に軸支されている。
【０００７】
フロントリッド１０８は、図１６に示すように、カセットシェル１０４の前側開口部を全体的に閉塞するように形成された細長い板状体であって、その本体部１０８ａの両側下端縁には、当該フロントリッド１０８の回転位置決め用の当接面１０８ｂが設けられており、下シェル１０３の前端両側から張出し形成された突部１０３ａ（図１０）にこの当接面１０８ｂが当接することにより、図１１に示すフロントリッド１０８の閉止位置を規制する。
【０００８】
本体部１０８ａの長手方向の両端部には、側壁１０８ｃ，１０８ｃがそれぞれ延設されており、その内面側には回動軸１０８ｄ，１０８ｄがそれぞれ対向するように突設されている。回動軸１０８ｄは、カセットシェル１０４への組付時、上シェル１０２の軸支持部１０２ａ（図１２）に係合される。また、回動軸１０８ｄの一方側には更に、バネ装着用の突部１０８ｅ（図１６）が設けられており、この突部１０８ｅの周面からバネ係止用の突起１０８ｆが突出されている。そして、トーションバネでなるリッドバネ１１２（図９）のコイル部を突部１０８ｅに装着し、一方のアームを突起１０８ｆに係止するとともに、他方のアームを上シェル１０２の内面に係止することによって、フロントリッド１０８を常に閉止位置へ付勢している。
【０００９】
トップリッド１０９は、図１４および図１５に示すように細長い板状体であって、その長手方向の両端部には側壁１０９ａ，１０９ａがそれぞれ延設されており、側壁１０９ａの内面前方側には、フロントリッド１０８の本体部１０８ａの長手方向両端に設けられたガイド軸１０８ｇ，１０８ｇ（図１６）がそれぞれ回動自在に嵌合するガイド孔１０９ｂ，１０９ｂがそれぞれ形成されている。また、トップリッド１０９の側壁１０９ａの内面後方側には、互いに対向するようにガイド軸１０９ｃ，１０９ｃがそれぞれ突設されている。これらのガイド軸１０９ｃ，１０９ｃは、上シェル１０２の両側壁面前方部に形成されたガイド溝１０２ｂ（図１２）に各々摺動自在に係合されている（図１０）。
【００１０】
また、バックリッド１１０は、空間部１０７に位置する磁気テープ１０５の背面側をカバーできるように形成された板状を有している。図１７に示すように、バックリッド１１０の両側面上端にはガイド軸１１０ａ，１１０ａがそれぞれ突設され、トップリッド１０９の裏面側に形成されたガイド孔１０９ｄ，１０９ｄ（図１５）に対してそれぞれ回動自在に嵌合している。また、バックリッド１１０の両側面下端には、空間部１０７を区画する下シェル１０３中央部の両側壁に設けられたガイド溝１０３ｂ（図１３）に摺動自在に係合するガイド軸１１０ｂがそれぞれ突設されている。
【００１１】
以上のように構成される各種リッド部材１０８〜１１０でなるリッド構体１１１は、先ず、トップリッド１０９のガイド孔１０９ｄにバックリッド１１０のガイド軸１１０ａを係合させた後、トップリッド１０９のガイド軸１０９ｃを上シェル１０２のガイド溝１０２ｂへ係合させる。そして、トップリッド１０９を上シェル１０２の後方側へ寄せた後、バックリッド１１０のガイド軸１１０ｂを下シェル１０３のガイド溝１０３ｂへ係合させる。そして、フロントリッド１０８の突部１０８ｅにリッドバネ１１２を装着した状態で各々の回動軸１０８ｄを上シェル１０２の軸支持部１０２ａに係合させた後、ガイド溝１０８ｇをトップリッド１０９のガイド孔１０９ｂへ係合させる。
【００１２】
以上のようにして、上シェル１０２に対してリッド構体１１１が組み上げられ、テープリール１０６等の所定部品がそれぞれ所定位置に配置された下シェル１０３に対して、複数本のネジ部材１１３を介して一体化されることにより、テープカセット１０１が完成する。
【００１３】
このようにして構成されるテープカセット１０１は、使用時、記録再生装置内において図１０に示すようにフロントリッド１０８を上方へ略９０度回動させて空間部１０７を開放し、磁気テープ１０５を外部へ露出させる。そして、開放された空間部１０７にテープローディング機構が進入して磁気テープ１０５がローディングされるとともに、記録再生装置のリール駆動軸が下シェル１０３の主面に形成された開口部１０３ｃ，１０３ｃを介してテープリール１０６に係合し、テープリール１０６に回転により磁気テープ１０５を走行させながら、所定の記録／再生動作が行われる。
【００１４】
なお、この出願の発明に関連する先行技術文献を以下に示す。
【００１５】
【特許文献１】特開平５−７４１０４号公報
【特許文献２】特開２０００−１１３６３０号公報
【発明の開示】
【発明が解決しようとする課題】
【００１６】
ところで、以上のように構成される従来のテープカセット１０１において、テープローディング用の空間部１０７を閉止するリッド構体１１１は、その回動軸をカセットシェル１０４の側面部に配置する必要がある関係上、カセットシェル１０４の前面部からその両隅部にわたって取り付けられる構成が必須となっている。
【００１７】
このため、従来のテープカセット１０１は、例えば取り扱い時に誤って落下させた場合に、特にカセットシェル前面に取り付けられているリッド構体１１１がその落下衝撃を受けやすく、衝撃の大きさによっては、リッド構体１１１の変形、破損等を招いて防塵性が低下したり、リッド開閉動作不良をもたらす等して、テープカセット１０１の信頼性を損ねるおそれがある。また、リッド構体１１１の変形、破損等により、これに被覆される磁気テープ１０５の損傷等のおそれもある。
【００１８】
また、従来のテープカセット１０１においては、その空間部１０７を閉止するリッド構体１１１の構成が複雑で、部品点数も多く、組付作業が煩雑、面倒であるという問題もある。
【００１９】
更に、上述した従来のテープカセット１０１において、記録再生装置のリール駆動軸が進入する開口部１０３ｃ，１０３ｃは、テープリール１０６，１０６によりカセットシェル１０４の内方側から閉塞されている。しかし、例えば落下衝撃が作用したときには、テープリール１０６，１０６がカセットシェル１０４の内部で揺動し開口部１０３ｃ，１０３ｃが瞬間的であっても開放されることになり、これが原因で外部から塵埃等が侵入し、磁気テープに付着してテープダメージを引き起こすおそれがある。
【００２０】
本発明は上述の問題に鑑みてなされ、落下衝撃等に対する耐久性が高められ、テープローディング用の空間部の開閉機構をより簡素化でき、防塵性にも優れたテープカセットを提供することを課題とする。
【課題を解決するための手段】
【００２１】
以上の課題を解決するに当たり、本発明のテープカセットは、カセットシェルの内部に回動自在に配置され、当該回動動作によって、テープローディング用の空間部と、リール駆動軸挿通用の開口部とを同時に開閉するシャッタを備えている。
【００２２】
この構成により、落下衝撃を最も受け易いカセット外面部位に対してリッド構体を設けることなく空間部の開閉機構を備え付けることができるようになるので、落下衝撃等に強く、空間部に位置する磁気テープの損傷を効果的に防止することができる。また、複数の部品からなる従来のリッド構体のように構成が複雑化することはないので、簡素かつ組立性に優れた空間部の開閉構造を提供することができる。
【００２３】
また、本発明においては、カセットシェルの内部におけるシャッタの回動動作によってテープローディング用の空間部とリール駆動軸挿通用の開口部とを同時に開閉する構成とすることにより、部品点数削減、構成の簡素化および防塵性向上を図るようにしている。
【００２４】
本発明のシャッタは、テープリールとカセットシェルの下面との間に配置された板状部材で形成され、シャッタが上記空間部を閉塞する第１の回動位置で、空間部を閉塞できる大きさの閉止部と、シャッタが空間部を開放する第２の回動位置で、上記開口部と整列するガイド孔とを有する構成とされる。
【００２５】
この構成により、第１の回動位置において、上記閉止部で空間部を閉塞する一方、上記板状部材の面内で開口部を閉塞する。また、第２の位置において空間部を開放してテープローディング動作を行わせる一方、開口部にガイドを孔を整列させてリール駆動軸の進入を許容し、テープリールの回転駆動を行わせる。
【発明の効果】
【００２６】
本発明のテープカセットによれば、カセットシェルの内部に回動自在に配置されたシャッタの回動動作によってテープローディング用の空間部とリール駆動軸挿通用の開口部とを同時に開閉する構成としたので、カセット外面部位に上記空間部の開閉機構を設ける必要がなくなることにより落下衝撃等の外力に対する耐久性を向上させることができるとともに、生産性および防塵性に優れた構成とすることができる。
【発明を実施するための最良の形態】
【００２７】
以下、本発明の実施の形態について図面を参照して説明する。
【００２８】
図１〜図８は、本発明の実施の形態によるテープカセット１の構成を示している。ここで、図１はテープカセット１の分解斜視図、図２はテープカセット１の上シェル側から見た斜視図、図３はテープローディング用の空間部１１が閉塞されたカセット非使用状態におけるテープカセット１の下シェル側から見た斜視図、図４は上記空間部が開放されたカセット使用状態における斜視図、図５は上シェル５の内面斜視図、図６は下シェル６の内面斜視図、図７は本発明に係るシャッタ１５の斜視図、図８はシャッタ１５の裏面斜視図である。
【００２９】
テープカセット１は、全体的に薄い箱状を呈したカセットシェル２の内部に、テープ状記録媒体としての磁気テープ３を巻装した一対のテープリール４，４をそれぞれ回転可能に収納して構成されている。
【００３０】
カセットシェル２は、合成樹脂材料からなる上シェル５と下シェル６とが上下に結合されて形成されている。一方の上シェル５は、主面となる略正方形状の天板部７と、天板部７の外周縁から垂設された外壁部８とを有している。他方の下シェル６は、主面となる略正方形状の底板部９と、底板部９の外周縁から立設された外壁部１０とを有している。上シェル５および下シェル６は、外壁部８と外壁部１０とが突き合わされた上、５本のネジ部材（図示略）を介して結合されている。
【００３１】
テープリール４は、上フランジ１６と、リールハブ１７と一体的な下フランジ１８との結合体で形成されている。リールハブ１７には、透明なリーダーテープ１９の一端がクランパ２０を介して固定される。リーダーテープ１９の他端は、スプライステープ２１を介して磁気テープ３の端部に接合されており、連続したテープ体としてリールハブ１７に巻装されている。
【００３２】
テープリール４，４は、上シェル５の天板部７内面のバネ受け凹所７ａ，７ａ（図５）に一端が係止されたリール押えバネ１３，１３によって下シェル６側へ付勢されており、テープカセット１の運搬時等におけるカセットシェル２内部でのテープリール４，４のガタツキが抑制されている。テープリール４，４のリールハブ１７，１７の内部には、ベアリング１２，１２とベアリングキャップ１４，１４とが配置されることにより、テープリール４，４の高速回転を可能としている。
【００３３】
一対のテープリール４，４は、カセットシェル２の対角線上に互いに隣接して配置されている。底板部９の面内であって、各テープリール４，４の下面中心と対向する部位には、記録再生装置のリール駆動軸（図示略）が挿通される円形の開口部９ａ，９ａがそれぞれ穿設されている。これらテープリール４，４の下面中心には、上記リール駆動軸と係合する駆動軸係合孔４ａ，４ａと、この駆動軸係合孔４ａ，４ａと同心的に形成されリール駆動軸の位置基準を形成する環状リブ４ｂ，４ｂとがそれぞれ設けられており、これらは開口部９ａ，９ａを介して外部へ露出可能とされている（図４）。
【００３４】
カセットシェル２の一隅部には、テープローディング用の空間部（マウス部）１１が設けられている。空間部１１は、上シェル５の外壁部８の一隅部を切り欠いた欠落部５ｐと、下シェル６の底板部９の一角部およびその周辺の外壁部１０を切り欠いた欠落部６ｐとで形成されている（図１）。なお、天板部７の空間部１１側に位置する角部７ｇは図示する形状に限られず、例えば円弧状に形成されてもよい。
【００３５】
上シェル５側の欠落部５ｐの形成部位であって、その外壁部８先端には、これに連接する一対の側壁７ｐ，７ｐが天板部７の内面に立設されている（図５）。また、下シェル６側の欠落部６ｐの形成部位であって、その外壁部１０先端には、これに連接する一対の側壁９ｐ，９ｐが底板部９の内面に立設されている（図６）。そして、上シェル５と下シェル６との結合時、これら側壁７ｐ，９ｐが突き合わせられることにより、空間部１１が区画される（図４）。
【００３６】
なお、これら上、下シェル５，６結合用のネジ部材（図示略）は、空間部１１を挟むように側壁７ｐ，９ｐの外方側に各々一対、および、空間部１１形成部位を除く他の３隅部に設けられたネジ取付孔Ｓ（上シェル５側、下シェル６側それぞれ共通に符示）にそれぞれ取り付けられている（図３，図５，図６）。
【００３７】
空間部１１の形成部位に対応して、上シェル５の天板部７の内面一隅部（７ｇ）側には、磁気テープ３が架け渡されるテープガイド片７ｂが立設されている（図５）。テープガイド片７ｂは、空間部１１と対向して横方向に延在する壁状で、その両端には、磁気テープ３の走行をガイドするガイド部７ｃ，７ｃが設けられている。
【００３８】
一方、テープリール４，４と下シェル６の底板部９との間には、本発明に係るシャッタ１５が配置されている。シャッタ１５は、例えば合成樹脂材料の射出成形体で形成されており、板状部材２３と、閉止部２４と、一対のガイド孔２５，２５とを有している。
【００３９】
板状部材２３は略円形で、テープリール４，４の下面と下シェル６の底板部９との間に配置されており、その略中心部には、底板部９に突設された回動軸９ｂに嵌合する嵌合孔２３ａを有している。この嵌合孔２３ａは、貫通孔または有底孔で構成されており、回動軸９ｂを中心として、板状部材２３が底板部９に対して相対的に回動自在となっている。
【００４０】
また、閉止部２４は、板状部材２３の周縁から部分的に立上り形成されており、空間部１１をカセットシェル２の内方側から十分に閉塞できる程度の大きさに形成されている。この閉止部２４の高さは、上シェル５と下シェル６との結合時に、天板部７のテープガイド片７ｂの前方側（空間部１１側）に形成された円弧状のガイド溝７ｄ（図５）に係合する大きさとされている。
【００４１】
このガイド溝７ｄは、シャッタ１５の回動時に、閉止部２４の移動を案内するためのもので、この閉止部２４で空間部１１を閉塞する閉止位置（第１の回動位置）から、空間部１１を開放する開放位置（第２の回動位置）までの間にわたって形成されている。これにより、シャッタ１５の回動範囲が規定されている。また、ガイド溝７ｄは、上記閉止位置において、閉止部２４を側壁７ｐ，９ｐに対して近接させる位置に形成されており、これにより、当該閉止位置における空間部１１の防塵効果が高められている。
【００４２】
なお、上シェル５の天板部７内面には、シャッタ１５の回動時における閉止部２４と磁気テープ３との間に位置し、これらの間の干渉を防止するためのリブ７ｅが、テープガイド片７ｂに隣接して立設されている（図５）。
【００４３】
ガイド孔２５，２５は、板状部材２３の面内に、下シェル６の開口部９ａ，９ａと略同等またはこれよりも大径の円形とされ、シャッタ１５が上記開放位置にまで回動されたときにのみ、各ガイド孔２５，２５が開口部９ａ，９ａにそれぞれ整列するように形成されている。これにより、テープリール４，４の下面中心に形成された駆動軸係合孔４ｐ，４ｐが、開口部９ａ，９ａおよびガイド孔２５，２５を介して外部へ露出されることになる（図４）。なお、シャッタ１５が上記閉止位置に位置しているときは、開口部９ａ，９ａは、板状部材２３に閉塞される（図３）。
【００４４】
ガイド孔２５，２５の周縁上面部位には、テープリール４，４下面との干渉を防止するためのテーパー部２５ａ，２５ａが形成されている。このテーパー部２５ａ，２５ａは、板状部材２３の回動時に、テープリール４の下面中央部に形成された環状リブ４ｂ，４ｂとガイド孔２５，２５との干渉を防ぐためのものである。このテーパー部２５ａ，２５ａは、必ずしもガイド孔２５，２５の周縁上面全域に形成する必要はなく、上記開放位置から閉止位置へシャッタ１５が回動する際に、テープリール４，４の環状リブ４ｂ，４ｂと干渉が起こり得る領域に部分的に形成されていればよい（図７）。
【００４５】
シャッタ１５を構成する板状部材２３には、更に、シャッタ１５が開放位置に回動されたときに、空間部１１に対応する部位に対して切欠き２６が形成されている。この切欠き２６は、下シェル６の欠落部５ｐにほぼ対応する大きさに形成されている。これにより、記録再生装置側のテープローディング機構（図示略）が空間部１１に進入し易くなるので、磁気テープ３の適正なローディング動作が確保される。
【００４６】
このような構成のシャッタ１５は、カセットシェル２の内部に配置された付勢部材２７によって、常に、閉止位置に向けて付勢されている。付勢部材２７は、例えばゼンマイバネで形成されており、一端が下シェル６の底板部９内面の一隅部に立設された係止ピン９ｃ（図６）に係止され、他端は板状部材２３の周縁の切欠き２６形成部位近傍に立設されたバネ受けピン２３ｂ（図７）に係止されている。なお、付勢部材２７はゼンマイバネで形成される場合に限らず、トーションバネ等で形成されてもよい。
【００４７】
底板部９内面には、更に、ガイドパスピン９ｄが立設されており、このガイドパスピン９ｄと下シェル６の外壁部１０内面との間に付勢部材２７を通すことによって、係止ピン９ｃとバネ受けピン２３ｂとの間に架け渡された付勢部材２７が、シャッタ１５の回動動作に連動してシェル内方側に移動し、磁気テープ３と干渉するのを防止するようにしている。一方、上シェル５の天板部７側にも、付勢部材２７と磁気テープ３との間に位置し、これらの間の干渉を防止するためのリブ７ｆが、テープガイド片７ｂに隣接して立設されている（図５）。
【００４８】
そして、本実施の形態において、カセットシェル２の内部に配置されたシャッタ１５の回動操作は、板状部材２３の裏面側（底板部９との対向面側）周縁に立設された操作ピン２３ｃを下シェル６の底板部９に形成した操作溝９ｅ内に臨ませ、記録再生装置側のシャッタ開放機構（図示略）によって当該操作ピン２３ｃを操作溝９ｅに沿って移動させることにより、シャッタ１５を閉止位置から開放位置へ回動させるようにしている。なお、シャッタ１５の閉止位置から開放位置への回動は、付勢部材２７による付勢力で行うようにしている。
【００４９】
以上のように構成される本実施の形態のテープカセット１においては、テープローディング用の空間部１１の開閉を、カセットシェル２の内部において回動自在に配置したシャッタ１５の閉止部２４で行うようにしているので、カセットシェル２の前面隅部に空間部１１開閉用の機構部品を配置せずとも空間部１１の開閉を行うことが可能となり、これにより、落下衝撃等に対する耐久性を高めて、空間部１１に位置する磁気テープ３の保護を図ることができる。そして、空間部１１の開閉機構の損傷を防止して、記録再生装置における適正なテープローディング動作を確保でき、テープカートリッジの信頼性向上を図ることができる。
【００５０】
また、一対のテープリール４，４をカセットシェル２の対角線上に配置して、テープローディング用の空間部１１をカセットシェル２の隅部に設けた構成であるので、落下衝撃の際に受けるテープダメージの低減を図ることが可能となる。
【００５１】
また、空間部１１の開閉を上述のシャッタ部材１５の回動動作によって行うようにしているので、空間部１１の開閉機構を従来のリッド構体に比べてはるかに簡素化できるとともに、その取付けも容易となり、組付作業性の格段の向上を図ることができる。
【００５２】
さらに、テープカセット１の非使用状態において、シャッタ１５により、空間部１１の閉止作用と同時に、カセットシェル２の底面に形成されたリール駆動軸挿通用の開口部９ａ，９ａを閉塞する構成であるので、カセット非使用時における防塵性の向上を図ることができる。
【００５３】
一方、テープカセット１の使用時、図示しない記録再生装置へ装填されると、カセットシェル２底面部に臨む操作ピン２３ｃが図示しないシャッタ開放機構に係合し、操作ピン２３ｃが操作溝９ｅに沿って移動される。これにより、シャッタ１５が付勢部材２７の付勢力に抗して閉止位置から開放位置へ回動され、空間部１１および開口部９ａ，９ａが開放される。そして、開口部９ａ，９ａおよびガイド孔２５，２５を介してリール駆動軸がテープリール下面の駆動軸係合孔４ａ，４ａに係合してテープリール４，４が回転可能な状態とされるとともに、空間部１１の下方側からテープローディング機構が進入してテープガイド片７ｂに架け渡された磁気テープ３がローディングされた後、磁気テープ３に対する所定の記録／再生動作が行われる。
【００５４】
本実施の形態によれば、空間部１１および開口部９ａ，９ｂの開閉を行うシャッタ１５をカセットシェル２の内部において回動自在に配置した構成であるので、空間部１１および開口部９ａ，９ａの開閉の際、テープカセット１の外形に形状変化を伴うことはない。これにより、記録再生装置の設計自由度が高められるとともに、記録再生装置の小型化をも図ることができる。
【００５５】
以上、本発明の実施の形態について説明したが、勿論、本発明はこれに限定されることなく、本発明の技術的思想に基づいて種々の変形が可能である。
【００５６】
例えば以上の実施の形態では、テープローディング用の空間部１１およびリール駆動軸挿通用の開口部９ａ，９ａを開閉するシャッタ１５を合成樹脂材料の射出成形体で形成したが、これに代えて、非磁性金属板のプレス形成体で構成するようにしてもよい。これにより、シャッタの板厚を低減して、シャッタの必要強度を確保しながら、カセットシェルの薄厚化を図ることができる。
【００５７】
また、以上の実施の形態では、シャッタ１５を開操作するための操作ピン２３ｃを板状部材２３の裏面側に設け、これを下シェル６の底板部９（操作溝９ｅ）側に臨ませる構成としたが、これに限らず、例えば上記操作ピンを板状部材２３の周縁部に設け、これを下シェル６の外壁部１０側に臨ませる構成としてもよい。
【図面の簡単な説明】
【００５８】
【図１】本発明の実施の形態によるテープカセット１の分解斜視図である。
【図２】テープカセット１の上シェル５側から見た斜視図である。
【図３】テープローディング用の空間部１１が閉塞されたカセット非使用状態におけるテープカセット１の下シェル側から見た斜視図である。
【図４】空間部１１が開放されたカセット使用状態におけるテープカセット１の下シェル側から見た斜視図である。
【図５】上シェル５の内面斜視図である。
【図６】下シェル６の内面斜視図である。
【図７】本発明に係るシャッタ１５の斜視図である。
【図８】シャッタ１５の裏面斜視図である。
【図９】従来のテープカセットの分解斜視図である。
【図１０】従来のテープカセットのリッド開放状態を示す斜視図である。
【図１１】従来のテープカセットを下面側から見たときの斜視図である。
【図１２】従来のテープカセットの上シェルの斜視図である。
【図１３】従来のテープカセットの下シェルの斜視図である。
【図１４】従来のテープカセットのトップリッドの上面側斜視図である。
【図１５】従来のテープカセットのトップリッドの裏面側斜視図である。
【図１６】従来のテープカセットのフロントリッドの斜視図である。
【図１７】従来のテープカセットのバックリッドの斜視図である。
【符号の説明】
【００５９】
１…テープカセット、２…カセットシェル、３…磁気テープ、４…テープリール、４ａ…駆動軸係合孔、５…上シェル、６…下シェル、７…天板部、７ｂ…テープガイド片、７ｄ…ガイド溝、９…底板部、９ａ…開口部、９ｂ…回動軸、９ｅ…操作溝、１１…空間部、１５…シャッタ、２３…板状部材、２３ａ…嵌合孔、２３ｃ…操作ピン、２４…閉止部、２５…ガイド孔、２５ａ…テーパー部、２６…切欠き、２７…付勢部材。
【図１】
2006024331.tif 000003
【図２】
2006024331.tif 000004
【図３】
2006024331.tif 000005
【図４】
2006024331.tif 000006
【図５】
2006024331.tif 000007
【図６】
2006024331.tif 000008
【図７】
2006024331.tif 000009
【図８】
2006024331.tif 000010
【図９】
2006024331.tif 000011
【図１０】
2006024331.tif 000012
【図１１】
2006024331.tif 000013
【図１２】
2006024331.tif 000014
【図１３】
2006024331.tif 000015
【図１４】
2006024331.tif 000016
【図１５】
2006024331.tif 000017
【図１６】
2006024331.tif 000018
【図１７】
2006024331.tif 000019